(57)【特許請求の範囲】
【請求項１】
表示部を有するマルチメディア通信装置において、
第ｎの通信中のときの表示画面の画面構成、および前記表示画面の構成と併せて通信相手を記憶する記憶手段と、
第（ｎ＋ｍ）（ｍ≧１）の通信開始時に第（ｎ＋ｍ）の通信相手が前記記憶手段により記憶された通信相手と同一であるか否かを自動識別する識別手段と、
前記第（ｎ＋ｍ）の通信相手が前記記憶手段により記憶された通信相手と同一である場合は前記記憶手段により記憶された画面構成を用いて表示画面を自動的に初期化する初期化手段とを
備えたことを特徴とするマルチメディア通信装置。
【請求項２】
前記記憶手段は、前記表示画面の画面構成の一部を自動的に選択して記憶することを特徴とする請求項１記載のマルチメディア通信装置。
【請求項３】
第ｎの通信中のときのマルチメディア通信装置の表示部の表示画面の構成、および前記表示画面の構成と併せて通信相手を記憶し、
第（ｎ＋ｍ）（ｍ≧１）の通信開始にともなって第（ｎ＋ｍ）の通信相手が記憶された通信相手と同一であるか否かを識別し、
前記第（ｎ＋ｍ）の通信相手が記憶された通信相手と同一である場合は予め記憶された画面構成を用いて表示画面を初期化することを特徴とするマルチメディア通信装置の画面表示方法。
【発明の詳細な説明】
【０００１】
【産業上の利用分野】
本発明は、通信画面や制御画面を表示する表示部を備えたマルチメディア通信装置及びその画面表示方法に関するものである。
【０００２】
【従来の技術】
マルチメディア通信装置の表示画面は、該マルチメディア通信装置の制御情報を表示するための制御画面と、該通信装置により送受信したデータを表示するための通信画面とに分類することができる。この種のマルチメディア通信装置においては、制御画面は電源投入後に、通信画面は通信開始時にそれぞれ固定の画面構成によって初期化されるようになっている。
【０００３】
【発明が解決しようとする課題】
しかしながら、上記従来例では次のような問題点があった。
【０００４】
（１）ユーザーによっては通信相手に応じて異なる画面構成を望む場合があり、このような場合は、通信相手が変わる毎に毎回画面構成を変更する必要が生ずる。
【０００５】
（２）電源投入後あるいは通信開始時に固定の画面構成によって表示画面を初期化した場合、ユーザが各自の必要に応じた画面構成を実現するためには電源投入後あるいは通信開始時ごとに毎回画面構成を変更しなければならない。
【０００６】
上記（１），（２）の操作はユーザにとって煩わしいものであり、装置の利便性を低下させる要因となっていた。
【０００７】
本発明は上記従来の問題点に鑑み、利便性を向上させたマルチメディア通信装置及びその画面表示方法を提供することを目的とする。
【０００８】
【課題を解決するための手段】
上記目的を達成するために、本発明のマルチメディア通信装置は、表示部を有するマルチメディア通信装置において、第ｎの通信中のときの表示画面の画面構成、および前記表示画面の構成と併せて通信相手を記憶する記憶手段と、第（ｎ＋ｍ）（ｍ≧１）の通信開始時に第（ｎ＋ｍ）の通信相手が前記記憶手段により記憶された通信相手と同一であるか否かを自動識別する識別手段と、前記第（ｎ＋ｍ）の通信相手が前記記憶手段により記憶された通信相手と同一である場合は前記記憶手段により記憶された画面構成を用いて表示画面を自動的に初期化する初期化手段とを備えたことを特徴とする。
【００１５】
本発明のマルチメディア通信装置の画面表示方法は、第ｎの通信中のときのマルチメディア通信装置の表示部の表示画面の構成、および前記表示画面の構成と併せて通信相手を記憶し、第（ｎ＋ｍ）（ｍ≧１）の通信開始にともなって第（ｎ＋ｍ）の通信相手が記憶された通信相手と同一であるか否かを識別し、前記第（ｎ＋ｍ）の通信相手が記憶された通信相手と同一である場合は予め記憶された画面構成を用いて表示画面を初期化することを特徴とする。
【００１８】
【実施例】
以下、図面を参照にして本発明の実施例を説明する。図１は、本発明に係るマルチメディア通信装置の第１実施例の概略構成を示すブロック図である。
【００１９】
図中１は入力部であり、ユーザコマンド１０１を送出するコマンド入力部１１、入力文字・図形データ１０２を送出する文字・図形入力部１２、入力映像データ１０３を送出する映像入力部１３、及び入力音声データ１０４を送出する音声入力部１４を備えている。さらに出力部２は、印刷データ２０１を取り込む印刷部２１、表示データ２０２を取り込む表示部２２、及び出力音声データ２０３を取り込む音声出力部２３を備えている。
【００２０】
そして、システム制御部３は、表示制御コマンド３０１及び通信制御コマンド３０２を送出するコマンド解析部３０と、表示制御信号３０４を送出する表示制御部３１と、通信開始／終了通知信号３０３、通信制御信号３０５及び通信相手識別情報３０７を送出すると共に通信制御コマンド３０２及び通信状態通知信号３０６を取り込む通信制御部３２と、通信相手識別信号３０８を送出する通信相手識別部３３とを備えるほか、図示しない文字・図形処理制御部、映像処理制御部、音声処理制御部、及び多重化処理制御部を有している。
【００２１】
また、データ処理部４は、印刷データ２０１を生成する文字・図形処理部４１、出力映像データ２０４を生成する映像処理部４２、出力音声データ２０３を生成する音声処理部４３、多重化処理部４４、及び表示データ２０２を生成する表示処理部４５を備えている。システム制御部３及びデータ処理部４が回線インターフェース部５０を介して回線に接続されている。
【００２２】
なお、図中４０１Ｔは送信文字・図形データ、４０１Ｒは受信文字・図形データ、４０２Ｔは送信映像データ、４０２Ｒは受信映像データ、４０３Ｔは送信音声データ、４０３Ｒは受信音声データ、４０４Ｔは送信多重化データ、４０４Ｒは受信多重化データ、５０１Ｔは送信ビット列、及び５０１Ｒは受信ビット列である。
【００２３】
次に、動作を説明する。なお、説明を簡単化するため、表示制御コマンド３０１と通信制御コマンド３０２は、ユーザコマンド１０１のサブセットであると仮定する。
【００２４】
（Ａ）第１の動作例（請求項１及び請求項３に対応）を説明する。
【００２５】
発呼側として通信を開始する場合、ユーザはコマンド入力部１１から通信相手を指定するためのユーザコマンド１０１を入力する。該コマンドはコマンド解析部３０を経由して通信制御部３２に入力される。該コマンドを受けて通信制御部３２は、通信相手を指定するための通信制御信号３０５を回線インタフェース５０に出力し、また、通信相手を指定するためのコマンドの一部あるいは全部を通信相手識別情報３０７として通信相手識別部３３に出力する。
【００２６】
通信相手識別部３３では通信相手識別情報３０７を入力するとこれを表示処理部４５で必要とする形式の信号に変換し、通信相手識別信号３０８として表示処理部４５に出力する。
【００２７】
着呼側として通信を開始する場合、まず通信に先だって、着信情報を含む受信ビット列５０１Ｒが回線から回線インターフェース部５０に入力される。着信情報を含む受信ビット列５０１Ｒが入力された回線インターフェース５０は着信情報を含む通信状態通知信号３０６を通信制御部３２に出力する。通信制御部３２では着信情報を含む通信状態通知信号３０６中から着信情報を抜き出して通信相手識別情報３０７として通信相手識別部３３に出力する。
【００２８】
通信相手識別部３３では着信情報としての通信相手識別情報３０７を入力すると、着信情報中に発呼者情報が含まれるか否かを判断し、発呼者情報が含まれる場合にはこれを表示処理部４５で必要とする形式の信号に変換し、通信相手識別信号３０８として表示処理部４５に出力する。
【００２９】
一方、着信情報中に発呼者情報が含まれない場合には通信相手識別信号３０８を直ちに出力することはできない。この場合には、発呼者側として通信を開始する場合と同様に、ユーザはコマンド入力部１１から通信相手を認識するためのユーザコマンド１０１を入力する必要がある。これ以降は前述の動作例と同様である。
【００３０】
表示処理部４５では、通信相手識別信号３０８を入力するとこれを通信相手識別子として記憶する。通信相手識別子は、次に新たな通信相手識別信号３０８が入力されるまで変換されない。
【００３１】
コマンド入力部１１から通信を開始するためのユーザコマンド１０１が入力されると、該コマンドはコマンド解析部３０を経由して通信制御部３２に入力される。該コマンドを受けて通信制御部３２は、通信を開始するための通信制御信号３０５を回線インタフェース部５０に出力し、また、通信開始通知信号３０３を表示制御部３１に出力する。
【００３２】
表示制御部３１は通信状態を記憶する手段を持ち、通信開始通知信号３０３を入力すると通信状態を通信中とし、通信終了通知信号３０３を入力すると通信状態を非通信中とする。なお、該通信状態の初期値は非通信中である。
【００３３】
コマンド入力部１１から表示画面の画面構成を記憶するためのユーザコマンド１０１が入力されると、該コマンドはコマンド解析部３０を経由して表示制御部３１に入力される。該コマンドを入力すると表示制御部３１は、通信状態が通信中である場合には表示画面の画面構成を記憶するための表示制御信号３０４を出力する。逆に、通信状態が非通信中である場合には表示制御信号３０４を出力しない。
【００３４】
表示制御部３１は画面構成格納状態を記憶する手段を持ち、表示画面の画面構成を記憶するための表示制御信号３０４を出力すると画面構成格納状態を格納済みとする。なお、画面構成格納状態の初期値は未格納である。
【００３５】
表示画面の画面構成を記憶するための表示制御信号３０４は表示処理部４５に入力される。該信号を受けて表示処理４５は、表示画面の画面構成を先に記憶した通信相手識別子と共に画面構成格納テーブルに記憶する。
【００３６】
図２は、上述の画面構成格納テーブルの一例を示す図である。
【００３７】
本実施例では、表示画面はマルチウィンドゥ表示可能とする。従って、表示画面の画面構成は図２中に例示されたようなウィンドゥ情報によって制御される。但し、図２に示したウィンドゥ情報の項目は単なる一例であり、項目の選び方は任意である。
【００３８】
図２中、優先順位とはウィンドゥ表示の優先順位であり、ウィンドゥが重なる部分では優先順位の高い（数値が小さい）方のウィンドゥが表示されることを意味する。
【００３９】
前記の通信終了後に再び発呼動作または着呼動作を開始することにより、前述と同様の動作を経て、表示処理部４５で記憶する通信相手識別子が変更される。
【００４０】
その後、コマンド入力部１１から通信を開始するためのユーザコマンド１０１が入力されると、該コマンドがコマンド解析部３０を経由して通信制御部３２に入力される。該コマンドを受けて通信制御部３２は、通信を開始するための通信制御信号３０５を回線インターフェース５０に出力し、また、通信開始通知信号３０３を表示制御部３１に出力する。
【００４１】
表示制御部３１は通信開始通知信号３０３を入力すると通信状態を通信中とし、さらに、画面構成格納状態が格納済みである場合には表示画面の画面構成を初期化するための表示制御信号３０４を出力する。逆に画面構成格納状態が未格納である場合には表示制御信号３０４を出力しない。
【００４２】
表示画面の画面構成を初期化するための表示制御信号３０４は、表示処理部４５へ入力される。該信号を受けて表示処理部４５は、画面構成格納テーブルに格納された画面構成情報の中から、現在記憶している通信相手識別子と一致する通信相手識別子を持つ画面情報を抜き出し、この情報を用いて表示画面を初期化する。但し、現在記憶している通信相手識別子と一致する通信相手識別子を持つ画面情報が存在しない場合には、表示画面の初期化は行わない。
（Ｂ）第２の動作例
表示処理部４５に通信相手識別子を記憶する際の動作例は、上述した第１の動作例と同様である。
【００４３】
コマンド入力部１１から通信を終了するためのユーザコマンド１０１が入力されると、該コマンドはコマンド解析部３０を経由して通信制御部３２に入力される。該コマンドを受けて通信制御部３２は、通信を終了するための通信制御信号３０５を回線インタフェース部５０に出力し、また、通信終了通知信号３０３を表示制御部３１に出力する。
【００４４】
あるいは、回線インタフェース部５０は通信終了を検知すると、通信終了を示す通信状態通知信号３０６を通信制御部３２に出力する。通信制御部３２は通信終了を示す通信状態通知信号３０６を入力すると、通信終了通知信号３０３を表示制御部３１に出力する。表示制御部３１は通信終了通知信号３０３を入力すると表示画面の画面構成を記憶させるための表示制御信号３０４を出力する。
【００４５】
表示制御部３１は画面構成格納状態を記憶する手段を持ち、表示画面の画面構成を記憶するための表示制御信号３０４を出力すると画面構成格納状態を格納済みとする。なお、画面構成格納状態の初期値は未格納である。
【００４６】
表示画面の画面構成を記憶するための表示制御信号３０４は表示処理部４５に入力される。該信号を受けて表示処理部４５は、表示画面の画面構成を先に記憶した通信相手識別子と共に画面構成格納テーブルに記憶する。なお、表示画面の画面構成を初期化する際の動作例は、前述の請求項１に係る動作例と同様である。
（Ｃ）第３の動作例（請求項２に対応）
【００４７】
第３の動作例では、上述の第１の動作例または第２の動作例において、表示処理部４５は表示画面の画面構成の一部を自動的に選択して、画面構成格納テーブルに記憶する。表示画面の画面構成の一部を自動的に選択するためには、例えば図２に示したウィンドゥ種別が特定の種別であるものだけを選択する手段を表示処理部４５に備えておく。
【００４８】
図３は、本発明に係るマルチメディア通信装置の第２実施例の概略構成を示すブロック図であり、図１と共通する要素には同一の符号が付されている。
【００４９】
本実施例の構成が上記第１実施例のマルチメディア通信装置と異なる点は、第１実施例における通信相手識別部３３を省略した点であり、その他の構成は同一である。
（Ｄ）第４の動作例
コマンド入力部１１から表示画面の画面構成を記憶するためのユーザコマンド１０１が入力されると、該コマンドはコマンド解析部３０を経由して表示制御部３１に入力される。該コマンドを受けて表示制御部３１は表示画面の画面構成を記憶するための表示制御信号３０４を出力する。
【００５０】
表示画面の画面構成を記憶するための表示制御信号３０４は表示処理部４５に入力される。該信号を受けて表示処理部４５は表示画面の画面構成を画面構成格納テーブルに記憶する。
【００５１】
図４は本実施例の画面構成格納テーブルの一例を示す図である。
【００５２】
本実施例では、表示画面はマルチウィンドゥ表示可能とする。従って、表示画面の画面構成は図４中に例示されたようなウィンドゥ情報によって制御される。但し、図４に示したウィンドゥ情報の項目は単なる一例であり、項目の選び方は任意である。
【００５３】
図４中、優先順位とはウィンドゥ表示の優先順位であり、ウィンドゥが重なる部分では優先順位の高い（数値の小さい）方のウィンドゥが表示されることを意味する。
【００５４】
コマンド入力部１１から表示画面の画面構成を初期化するためのユーザコマンド１０１が入力されると、該コマンドはコマンド解析部３０を経由して表示制御部３１に入力される。該コマンドを受けて表示制御部３１は表示画面の画面構成を初期化するための表示制御信号３０４を出力する。
【００５５】
表示画面の画面構成を初期化するための表示制御信号３０４は表示処理部４５に入力される。該信号を受けて表示処理部４５は、画面構成格納テーブルに記憶された画面構成情報を用いて表示画面を初期化する。
（Ｅ）第５の動作例
コマンド入力部１１から通信を開始するためのユーザコマンド１０１が入力されると、該コマンドはコマンド解析部３０を経由して通信制御部３２に入力される。該コマンドを受けて通信制御部３２は、通信を開始するための通信制御信号３０５を回線インタフェース部５０に出力し、また、通信開始通知信号３０３を表示制御部３１に出力する。
【００５６】
表示制御部３１は通信状態を記憶する手段を持ち、通信開始通知信号３０３を入力すると通信状態を通信中とし、通信終了通知信号３０３を入力すると通信状態を非通信中とする。なお、該通信状態の初期値は非通信中である。コマンド入力部１１から表示画面の画面構成を記憶するためのユーザコマンド１０１が入力されると、該コマンドはコマンド解析部３０を経由して表示制御部３１に入力される。該コマンドを入力すると表示制御部３１は、通信状態が通信中である場合には表示画面の画面構成を記憶するための表示制御信号３０４を出力する。逆に、通信状態が非通信中である場合には表示制御信号３０４を出力しない。
【００５７】
表示制御部３１は画面構成格納状態を記憶する手段を持ち、表示画面の画面構成を記憶するための表示制御信号３０４を出力すると画面構成格納状態を格納済みとする。なお、画面構成格納状態の初期値は未格納である。
【００５８】
表示画面の画面構成を記憶するための表示制御信号３０４は表示処理部４５に入力される。該信号を受けて表示処理部４５は表示画面の画面構成を画面構成格納テーブルに記憶する。
【００５９】
前記の通信終了後に、コマンド入力部１１から再び通信を開始するためのユーザコマンド１０１が入力されると、該コマンドはコマンド解析部３０を経由して通信制御部３２に入力される。該コマンドを受けて通信制御部３２は通信を開始するための通信制御信号３０５を回線インターフェース部５０に出力し、また、通信開始通知信号３０３を表示制御部３１に出力する。
【００６０】
表示制御部３１は通信開始通知信号３０３を入力すると通信状態を通信中とし、さらに、画面構成格納状態が格納済みである場合には表示画面の画面構成を初期化するための表示制御信号３０４を出力する。逆に、画面構成格納状態が未格納である場合には表示制御信号３０４を出力しない。
【００６１】
表示画面の画面構成を初期化するための表示制御信号３０４は表示処理部４５に入力される。該信号を受けて表示処理部４５は、画面構成格納テーブルに記憶された画面構成情報を用いて表示画面を初期化する。
（Ｆ）第６の動作例
上述の第２の動作例と同様に、コマンド入力部１１から通信を終了するためのユーザコマンド１０１が入力されると、該コマンドは通信制御部３２に入力される。該コマンドを受けて通信制御部３２は、通信を終了するための通信制御信号３０５を回線インタフェース部５０に出力し、また、通信終了通知信号３０３を表示制御部３１に出力する。
【００６２】
あるいは、回線インタフェース部５０は通信終了を検知すると、通信状態通知信号３０６を通信制御部３２に出力し、通信制御部３２は、通信終了通知信号３０３を表示制御部３１に出力する。表示制御部３１は通信終了通知信号３０３を入力すると表示制御信号３０４を出力する。
【００６３】
表示制御信号３０４は表示処理部４５に入力され、表示処理部４５は表示画面の画面構成を画面構成格納テーブルに記憶する。
【００６４】
また、表示画面の画面構成を初期化する際の動作例は、前述した第５の動作例と同様である。
（Ｇ）第７の動作例
【００６５】
第７の動作例では、上述した第４または第５の動作例において、表示処理部４５は表示画面の画面構成の一部を選択して画面構成格納テーブルに記憶する。表示画面の画面構成の一部を選択する手段としては、コマンド入力部１１から表示画面の画面構成の一部を選択するためのユーザコマンド１０１を入力する方法が挙げられる。
（Ｈ）第８の動作例
第８の動作例では、上記第４、第５または第６の動作例において、表示処理部４５は表示画面の画面構成の一部を自動的に選択して画面構成格納テーブルに記憶する。表示画面の画面構成の一部を自動的に選択するためには、例えば図４に示すウィンドゥ種別が特定の種別であるものだけを選択する手段を、表示処理部４５に備えておく。
【００６６】
【発明の効果】
以上に説明したように、請求項１，２，３の発明によれば、ユーザが通信相手毎に異なる画面構成を望む場合であっても、それぞれの画面構成を一度構築しておけば、後に通信相手に応じた画面構成を即座に利用可能となる。従って、ユーザは画面構成の再構築に関する操作を大幅に減らすことができるので、マルチメディア通信装置の利便性が向上する。
【図面の簡単な説明】
【図１】本発明に係るマルチメディア通信装置の第１実施例の概略構成を示すブロック図である。
【図２】第１実施例の画面構成格納テーブルの一例を示す図である。
【図３】本発明に係るマルチメディア通信装置の第２実施例の概略構成を示すブロック図である。
【図４】第２実施例の画面構成格納テーブルの一例を示す図である。
【符号の説明】
１１  コマンド入力部
１２  文字・図形入力部
１３  映像入力部
１４  音声入力部
２１  印刷部
２２  表示部
２３  音声出力部
３０  コマンド解析部
３１  表示制御部
３２  通信制御部
３３  通信相手識別部
４１  文字・図形処理部
４２  映像処理部
４３  音声処理部
４４  多重化処理部
４５  表示処理部
５０  回線インターフェース部
【図１】
0003576572.tif 000002
【図２】
0003576572.tif 000003
【図３】
0003576572.tif 000004
【図４】
0003576572.tif 000005